(57)【特許請求の範囲】
【請求項１】
互いに対向する側板の下端にそれぞれ連設された底板がそれらの先端部がほぼ突合わされた状態で底部開口を閉じるようにした包装箱において、
前記底板の先端部に折曲げ線を介してそれぞれ中仕切りを連設し、該中仕切りを包装箱内において重合わせた状態で直立させることによって内部空間を２分割するとともに、
前記中仕切りの先端部に係止片を連設し、前記係止片を前記互いに対向する側板と隣接する別の側板の上部に連設された補助板の先端側の切込みに受入れて係止し、
しかも前記中仕切りの高さ方向の寸法が前記底板の幅方向と直交する長さ方向の寸法とほぼ等しく、前記底板の先端部の折曲げ線をほぼ１８０度折曲げると前記中仕切りが前記底板の上に重合わされることを特徴とする包装箱。
【請求項２】
前記補助板の先端側の切込みに受入れて係止された係止片を前記補助板と重合わされるように折曲げるとともに、上部開口を蓋板によって閉じたときに該蓋板によって前記係止片を押えるようにしたことを特徴とする請求項１に記載の包装箱。
【請求項３】
前記中仕切りが前記底板の上に重合わされたときに、前記底板の先端部に連設された前記係止片が、前記底板を下端に連設している側板の内側に重合わせるようにしたことを特徴とする請求項１に記載の包装箱。
【発明の詳細な説明】
【０００１】
【発明の属する技術分野】
本発明は包装箱に係り、とくに中仕切りによって内部空間を分割するようにした包装箱に関する。
【０００２】
【従来の技術】
各種の物品を収納するために、段ボールや板紙によって組立てられた直方体状をなす包装箱が広く利用されている。物品をこれらの包装箱内に収納した状態で物流に供することにより、内部の物品の保護が図られるとともに、物流段階における商品の取扱いの効率の向上に寄与することになる。
【０００３】
【発明が解決しようとする課題】
このような包装箱の内部空間を複数の部分に分割しようとする場合には、中仕切りが設けられる。通常中仕切りは包装箱とは別の板状体から構成され、このような板状体を包装箱内の所定の位置に配置することによって内部空間を複数の部屋に分割することになる。
【０００４】
従来のこのような中仕切りの構成は、包装箱内に配される別部材から成る中仕切りを要し、しかもこのような中仕切りを包装箱内において所定の位置に正しく保持しておくための保持手段あるいは係止手段を必要とする。従って包装箱を構成する部品点数が増加するとともに、保持手段あるいは係止手段を設けることによって包装箱の構造が複雑になる欠点がある。
【０００５】
本発明はこのような問題点に鑑みてなされたものであって、包装箱を構成する部品点数が増加することがなく、あるいはまたその構造が複雑にならないようにした中仕切りを有する包装箱を提供することを目的とする。
【０００６】
【課題を解決するための手段】
本願の主要な構成は、互いに対向する側板の下端にそれぞれ連設された底板がそれらの先端部がほぼ突合わされた状態で底部開口を閉じるようにした包装箱において、
前記底板の先端部に折曲げ線を介してそれぞれ中仕切りを連設し、該中仕切りを包装箱内において重合わせた状態で直立させることによって内部空間を２分割するとともに、
前記中仕切りの先端部に係止片を連設し、前記係止片を前記互いに対向する側板と隣接する別の側板の上部に連設された補助板の先端側の切込みに受入れて係止し、
しかも前記中仕切りの高さ方向の寸法が前記底板の幅方向と直交する長さ方向の寸法とほぼ等しく、前記底板の先端部の折曲げ線をほぼ１８０度折曲げると前記中仕切りが前記底板の上に重合わされることを特徴とする包装箱に関するものである。
【０００７】
ここで、前記補助板の先端側の切込みに受入れて係止された係止片を前記補助板と重合わされるように折曲げるとともに、上部開口を蓋板によって閉じたときに該蓋板によって前記係止片を押えるようにしてよい。また前記中仕切りが前記底板の上に重合わされたときに、前記底板の先端部に連設された前記係止片が、前記底板を下端に連設している側板の内側に重合わされるようにすることが好適である。
【０００８】
【発明の実施の形態】
以下本願発明の一実施の形態を図面を参照して説明する。図１は本実施の形態に係る包装箱を展開して示したものであって、ここでは段ボール原紙を図１に示すように所定の形状に打抜いて包装箱を組立てるようにしている。なおここでこの段ボールの段目の方向は縦方向になっている。
【０００９】
段ボール原紙は図１に示すように４つの側板１１、１２、１３、１４を備え、これらが折曲げ線１５によって互いに折曲げ可能に連結されている。また左側の側板１１の左端には折曲げ線１６を介して接合片１７が接合されている。
【００１０】
底板１１、１３の下端側には底板２１、２２が折曲げ線２３を介して折曲げ可能に連設されている。そして底板２１、２２の先端側には別の折曲げ線２４を介して中仕切り２５、２６がそれぞれ折曲げ可能に連設されている。しかも中仕切り２５、２６はそれぞれその先端側の縁部の近傍に横方向に延びる折曲げ線２７を備えるとともに、中仕切り２５、２６の先端側には根元の部分に３本の折曲げ線２８、２９、３０を備える係止片３１、３２がそれぞれ連設されている。
【００１１】
これに対して側板１２、１４の下端側には補助底板３５、３６が折曲げ線３７を介して折曲げ可能に連設されている。これらの補助底板３５、３６は斜め４５度の折曲げ線３８を備えるとともに、このような折曲げ線３８を介して接合片３９、４０を折曲げ可能に連設している。
【００１２】
次に上部開口を閉塞するための構造について説明する。側板１１、１３の上端側にはそれぞれ蓋板４３、４４が折曲げ線４５を介して折曲げ可能に連設されている。また側板１２、１４の上端にはそれぞれ補助板４６、４７が折曲げ線４８を介して折曲げ可能に連設されている。これらの補助板４６、４７の先端側であってその幅方向のほぼ中央部には切込み４９が形成され、組立てられた状態で上記係止片３１、３２を受入れるようになっている。
【００１３】
次にこのような段ボールによって包装箱を組立てる動作を説明する。図１に示す段ボール原紙の側板１１、１３に連設されている底板２１、２２をそれぞれ折曲げ線２３のところで側板１１、１３に重なるように内側に折曲げる。また側板１２、１４に連設されている補助底板３５、３６をそれぞれ折曲げ線３７のところで側板１２、１４に重なるように内側に折曲げ、さらに接合片３９、４０を折曲げ線３８のところで外側へ折曲げる。そして接合片３９、４０の表面に糊を塗布する。その後に側板１１、１２間の折曲げ線１５および側板１３、１４間の折曲げ線１５のところでそれぞれこの段ボールを折曲げると、上記接合片３９、４０が隣接する底板２１、２２の下面にそれぞれ糊付けされて図２に示すように偏平に折畳まれる。ここで接合片１７を反対側の側板１４の側端に糊付けすることによって、図２に示すように偏平な４角筒状に折畳まれる。
【００１４】
この包装箱は図２に示すようにほぼ偏平であってしかも折畳まれた状態で供給される。そして使用する際には、側板１１、１２間の折曲げ線１５および側板１３、１４間の折曲げ線１５のところを外側から押すことによって、直方体状に組立てられる。従って図２に示すように偏平に折畳まれた状態で供給され、物品を収納する際に直方体状に組立てられることになる。
【００１５】
このような底板の閉塞の構造は、上述の如くとくに補助底板３５、３６にそれぞれ形成されている斜めの折曲げ線３８の先端側の接合片３９、４０をそれぞれ隣接する底板２２、２１の下面に糊付けして結合するものであるために、４角筒状に組立てられた包装箱を偏平に折畳むことを可能にするものであって、このときに補助底板３５、３６の折曲げ線３８が１８０度折曲げられた状態になる。
【００１６】
上述のようにこの包装箱の底部開口を底板２１、２２および補助底板３５、３６で閉塞する際に、底板２１、２２の先端側の部分に折曲げ線２４を介して連設されている中仕切り２５、２６を図３に示すようにこの包装箱の内部に突出させる。すなわち折曲げ線２４のところで中仕切り２５、２６を底板２１、２２に対して９０度折曲げる。すると中仕切り２５、２６は包装箱の幅方向のほぼ中央部において互いに重合わされた状態でこの包装箱の内部空間を２分割するようになる。従ってこのように中仕切り２５、２６によって分割されたそれぞれの部分に所要の商品を収納することができる。
【００１７】
所定の商品を包装箱内に収納したならば、図４に示すように補助板４６、４７を折曲げ線４８のところで側板１２、１４に対して直角に折曲げる。これによって上部開口が補助板４６、４７によってほぼ閉じられるとともに、補助板４６、４７の先端側に設けられている切込み４９が中仕切り２５、２６の先端側の係止片３１、３２の根元部分を受入れることになる。従ってこの状態で上記係止片３１、３２の根元側の折曲げ線２８、２９、３０によって係止片３１、３２を折曲げ、これらの係止片３１、３２を図５に示すように補助板４６、４７の上に重合わせる。
【００１８】
そしてこのような状態において、図６に示すように蓋板４３、４４を折曲げ線４５のところで直角に折曲げる。これによって上部開口が蓋板４３、４４によってほぼ完全に閉じられる。そして蓋板４３、４４の突合わせ部分を粘着テープ５３等によって接合することにより、この包装箱が閉じられるようになる。
【００１９】
このような包装箱は、中仕切り２５、２６によって内部空間を２分割する必要がない場合には、図７に示すように中仕切り２５、２６を折曲げ線２４のところで１８０度折曲げて底板２１、２２の上に重合わせる。そしてさらにこの中仕切り２５、２６の折曲げ線２７のところで先端側の部分を折曲げることによって、この中仕切り２５、２６の先端側の部分と係止片３１、３２とを側板１１、１３の内側に重合わせることが可能になる。これによってこの包装箱の内部空間が連続した状態になるとともに、通常の包装箱と同様の方法で中に商品を収納することが可能になる。
【００２０】
以上本願発明を図示の一実施の形態によって説明したが、本願発明は上記実施の形態によって限定されることなく、本願に含まれる発明の技術的思想の範囲内で各種の変更が可能である。例えば上記実施の形態は段ボールによって組立てられる包装箱であるが、板紙によって組立てられる包装箱にも本願発明は適用される。また上記実施の形態は底板２１、２２と補助底板３５、３６とによって底部開口を閉塞するようにしており、補助底板３５、３６が斜めの折曲げ線３８を介して接合片４０、３９を備えるようになっているが、底部開口を閉塞する構造は必ずしもこのような形態に限定されるものではなく、他の形態の底板の構造であってもよい。
【００２１】
【発明の効果】
以上のように本願の主要な発明は、互いに対向する側板の下端にそれぞれ連設された底板がそれらの先端部がほぼ突合わされた状態で底部開口を閉じるようにした包装箱において、底板の先端部に折曲げ線を介してそれぞれ中仕切りを連設し、該中仕切りを包装箱内において重合わせた状態で直立させることによって内部空間を２分割するとともに、中仕切りの先端部に係止片を連設し、該係止片を互いに対向する側板と隣接する別の側板の上部に連設された補助板の先端側の切込みに受入れて係止し、しかも中仕切りの高さ方向の寸法が底板の幅方向と直交する長さ方向の寸法とほぼ等しく、底板の先端部の折曲げ線をほぼ１８０度折曲げると中仕切りが底板の上に重合わされるようにしたものである。
【００２２】
従ってこのような包装箱によれば、底板に連設された中仕切りによって内部空間を２分割することが可能になり、別部材から成る中仕切りを必要とせず、包装箱を構成する部品点数が低減される。また中仕切りの基端側の部分が底板に連設されているために、中仕切りを包装箱内において所定の位置に保持しあるいは係止するための保持手段または係止手段を必要としなくなる。従ってこれにより包装箱の構造が簡潔になる。
【図面の簡単な説明】
【図１】包装箱を構成する段ボールの展開平面図である。
【図２】同包装箱の組立て動作を示す斜視図である。
【図３】組立てられた包装箱の外観斜視図である。
【図４】補助板による中仕切りの係止の動作を示す要部斜視図である。
【図５】係止片を水平に折曲げた状態の斜視図である。
【図６】上部開口を蓋板によって閉じてテープで封緘した状態の斜視図である。
【図７】中仕切りを底板の上に重合わせた状態の縦断面図である。
【符号の説明】
１１〜１４  側板
１５、１６  折曲げ線
１７  接合片
２１、２２  底板
２３、２４  折曲げ線
２５、２６  中仕切り
２７  折曲げ線
２８〜３０  折曲げ線
３１、３２  係止片
３５、３６  補助底板
３７、３８  折曲げ線
３９、４０  接合片
４３、４４  蓋板
４５  折曲げ線
４６、４７  補助板
４８  折曲げ線
４９  切込み
５３  テープ
【図１】
0003985951.tif 000002
【図２】
0003985951.tif 000003
【図３】
0003985951.tif 000004
【図４】
0003985951.tif 000005
【図５】
0003985951.tif 000006
【図６】
0003985951.tif 000007
【図７】
0003985951.tif 000008